(57)【特許請求の範囲】
【請求項１】
枠組みした左右縦基枠（13,13）と上下横基枠（14,14）とから成る枠体であり且つ光源（1）を内装する単一の本体部分（10）と、上下横基枠（14,14）に各々取付けた上受け金具（14a）及び下受け金具（14b）と、枠組みした上下左右枠（20,21,22,23）から成り且つ上枠（20）及び下枠（21）を上受け金具（14a）及び下受け金具（14b）に各々係合して本体部分（10）の前面に左右方向に列設する複数の表示部（A）とからなり、
各表示部（A）は、上下左右枠（20,21,22,23）に各々装着される開閉枠（30,31,32,33）及びバネ（40,40,40,40）とを有すると共に、各上下左右枠（20,21,22,23）の外周部分に、断面略円形の軸部（20a,21a,22a,23a）とバネ支持部（20b,21b,22b,23b）を形成すると共に各上下左右枠（20,21,22,23）の内周部分には表示板（2）を裏面から保持する保持板（24）の板支持部（20c,21c,22c,23c）を設け、
各開閉枠（30,31,32,33）は、上記軸部（20a,21a,22a,23a）の外面形状に相応する形状の断面略円形の凹部を有する回転係合部（30a,31a,32a,33a）と、保持板（24）の表面に配置される表示板（2）に当接する当接部（30c,31c,32c,33c）と、当接部（30c,31c,32c,33c）近傍に配置するバネ受部（30b,31b,32b,33b）とを設け、上記軸部（20a,21a,22a,23a）に回転係合部（30a,31a,32a,33a）を係合させ、且つ、バネ支持部（20b,21b,22b,23b）とバネ受部（30b,31b,32b,33b）との間にバネ（40,40,40,40）を配置した状態において、上記バネ（40,40,40,40）の弾力により、開閉枠（30,31,32,33）を開閉させて当接部（30c,31c,32c,33c）が保持板（24）に対して当接勝手又は離間勝手のいずれかとなるように構成するとともに、
表示部（A,A）同士の隣接する左右枠（22,23）に各々設けた開閉枠（32,33）は、回転係合部（32a,33a）から表示板（2）に対して略垂直に突出した延出部（32d,33d）を備え、開閉枠（32,33）閉状態で回転係合部（32a,33a）及び両延出部（32d,33d）が隣接してあることを特徴とする開閉保持部を有する表示装置。
【請求項２】
上受け金具（14a）に掛止部（11）を、且つ、下受け金具（14b）にボールキャッチ（12）を設け、表示部（A）の上枠（20）には、掛止部（11）に相応する掛合部（20d）を、且つ、下枠（21）にはボールキャッチ（12）に相応するボール（21d）を設けることを特徴とする請求項１記載の開閉保持部を有する表示装置。
【発明の詳細な説明】
【０００１】
【発明の属する技術分野】
この発明は、開閉保持部を有する表示装置に関するものであり、更に詳しくは、例えば、ファーストフード店、レンタルショップ等の店内において、販売している商品ポスター等を表示する表示装置に関するものである。
【０００２】
【従来の技術】
従来、ファーストフード店、飲食店、レンタルショップ等で用いられるポスター、メニュー等の表示装置は、ポスター、メニュー等の表示板を押さえる手段が複雑であり、簡単な交換ができなかった。しかも、上記表示装置は店内高所に設置されることが多く、交換作業に時間がかかるばかりでなく、作業性が悪く、頻繁にポスター交換が必要とされる場合に特に不都合であった。
【０００３】
【解決しようとする課題】
本発明は、上記従来技術の問題点の解決を図るべく発明されたものであり、本発明の課題は、構造が簡単で且つポスター等の表示板の交換・取り外し作業が容易な表示装置を提供することにある。
【０００４】
【課題を解決するための手段】
上記目的を達成するために、請求項１記載の開閉保持部を有する表示装置は、枠組みした左右縦基枠１３，１３と上下横基枠１４，１４とから成る枠体であり且つ光源１を内装する単一の本体部分１０と、上下横基枠１４，１４に各々取付けた上受け金具１４ａ及び下受け金具１４ｂと、枠組みした上下左右枠２０，２１，２２，２３から成り且つ上枠２０及び下枠２１を上受け金具１４ａ及び下受け金具１４ｂに各々係合して本体部分１０の前面に左右方向に列設する複数の表示部Ａからなり、各表示部Ａは、上下左右枠２０，２１，２２，２３に各々装着される開閉枠３０，３１，３２，３３及びバネ４０，４０，４０，４０とを有すると共に、各上下左右枠２０，２１，２２，２３の外周部分に、断面略円形の軸部２０ａ，２１ａ，２２ａ，２３ａとバネ支持部２０ｂ，２１ｂ，２２ｂ，２３ｂを形成すると共に各上下左右枠２０，２１，２２，２３の内周部分には表示板２を裏面から保持する保持板２４の板支持部２０ｃ，２１ｃ，２２ｃ，２３ｃを設け、各開閉枠３０，３１，３２，３３は、上記軸部２０ａ，２１ａ，２２ａ，２３ａの外面形状に相応する形状の断面略円形の凹部を有する回転係合部３０ａ，３１ａ，３２ａ，３３ａと、保持板２４の表面に配置される表示板２に当接する当接部３０ｃ，３１ｃ，３２ｃ，３３ｃと、当接部３０ｃ，３１ｃ，３２ｃ，３３ｃ近傍に配置するバネ受部３０ｂ，３１ｂ，３２ｂ，３３ｂとを設け、上記軸部２０ａ，２１ａ，２２ａ，２３ａに回転係合部３０ａ，３１ａ，３２ａ，３３ａを係合させ、且つ、バネ支持部２０ｂ，２１ｂ，２２ｂ，２３ｂとバネ受部３０ｂ，３１ｂ，３２ｂ，３３ｂとの間にバネ４０，４０，４０，４０を配置した状態において、上記バネ４０，４０，４０，４０の弾力により、開閉枠３０，３１，３２，３３を開閉させて当接部３０ｃ，３１ｃ，３２ｃ，３３ｃが保持板２４に対して当接勝手又は離間勝手のいずれかとなるように構成するとともに、表示部Ａ，Ａ同士の隣接する左右枠２２，２３に各々設けた開閉枠３２，３３は、回転係合部３２ａ，３３ａから表示板２に対して略垂直に突出した延出部３２ｄ，３３ｄを備え、開閉枠３２，３３閉状態で回転係合部３２ａ，３３ａ及び両延出部３２ｄ，３３ｄが隣接してあることを特徴とし、上・下・左・右枠に対して、開閉枠を各バネに抗して開とし、保持板上に表示板を配置又は除去した後、再度上・下・左・右枠に対して、開閉枠を各バネに抗して閉とすればよい。保持板上に保持された表示板はバネの弾力により、開閉枠の当接部により押圧させ保持させる。
【０００５】
請求項２記載の開閉保持部を有する開閉装置は、上記手段において、上受け金具１４ａに掛止部１１を、且つ、下受け金具１４ｂにボールキャッチ１２を設け、表示部Ａの上枠２０には、掛止部１１に相応する掛合部２０ｄを、且つ、下枠２１にはボールキャッチ１２に相応するボール２１ｄを設けることを特徴とする。
【０００６】
【発明の実施の形態】
以下、本発明の実施例について説明する。
先ず、本発明の全体構造の概略について説明する。
本実施例に係る開閉保持部を有する表示装置は、飲食店の室内上部の壁に取り付けられるものであって、概略的にいえば、光源１を内装している本体部分１０と、その前面にポスター２を保持している枠体からなる表示部Ａとからなる。
表示部Ａは、一体的な上・下・左・右枠２０，２１，２２，２３と該上・下・左・右枠２０，２１，２２，２３に個別に装着される開閉枠３０，３１，３２，３３とバネ４０とから構成する。上下左右の各枠２０，２１，２２，２３の外周部分には、断面略円形の軸部２０ａ，２１ａ，２２ａ，２３ａとバネ支持部２０ｂ，２１ｂ，２２ｂ，２３ｂとを形成すると共に、各上・下・左・右枠２０，２１，２２，２３の内周部分にポスター２を裏面から保持する保持板２４の板支持部２０ｃ，２１ｃ，２２ｃ，２３ｃを設ける。
【０００７】
各開閉枠３０，３１，３２，３３には、上記軸部２０ａ，２１ａ，２２ａ，２３ａの外面形状に相応する形状の断面略円形の凹部を有する回転係合部３０ａ，３１ａ，３２ａ，３３ａと、保持板２４の表面に配置されるポスター２に当接する当接部３０ｃ，３１ｃ，３２ｃ，３３ｃと、当接部３０ｃ，３１ｃ，３２ｃ，３３ｃ近傍に配置するバネ受部３０ｂ，３１ｂ，３２ｂ，３３ｂとを設ける。
上記軸部２０ａ，２１ａ，２２ａ，２３ａには、回転係合部３０ａ，３１ａ，３２ａ，３３ａを係合させ、且つ、バネ支持部２０ｂ，２１ｂ，２２ｂ，２３ｂとバネ受部３０ｂ，３１ｂ，３２ｂ，３３ｂとの間にバネ４０を配置した状態において、上記バネ４０の弾力により、当接部３０ｃ，３１ｃ，３２ｃ，３３ｃが保持板２４に対して当接勝手又は離間勝手のいずれかとなるように構成する。
上記構成により、上・下・左・右枠２０，２１，２２，２３に対して、開閉枠３０，３１，３２，３３を各バネ４０に抗して開とし、保持板２４上に表示を配置又は除去した後、再度上・下・左・右枠２０，２１，２２，２３に対して、開閉枠３０，３１，３２，３３を各バネ４０に抗して閉とすればよい。保持板２４上に保持された表示はバネ４０の弾力により、開閉枠３０，３１，３２，３３の当接部３０ｃ，３１ｃ，３２ｃ，３３ｃにより、押圧されて保持される。
また、上記構成において、単一の本体部分１０に対して複数の表示部Ａ・・を隣接させて装着することにより、単一の本体部分１０に対して各表示部Ａをそれぞれ個別に取り扱うこと、即ち、ポスターの取付・取り外し等を個別にすることができる。
【０００８】
更に、上記構成に加えて、本体部分１０と表示部Ａとを別体に形成し、本体部分１０の上部に掛止部１１を、且つ、下部にボールキャッチ１２を設け、表示部Ａ側の上部には、掛止部１１に相応する掛合部２０ｄを、且つ、下部にはボールキャッチ１２に相応するボール２１ｄを設け、ポスター２を表示部Ａに保持させる場合に、表示部Ａを、本体部分１０から取り外した状態、即ち、表示部Ａを床面や地面に下ろした状態で表示の取り替えが可能であり、作業性が良くなる。
【０００９】
次に、各構成要素について詳細に説明する。
本実施例の全体構成は図２〜図６に示されており、本体部分１０は建物躯体に装着する部分である。本体部分１０は、水平方向に長く略長方形状の正面解放の箱形に形成し、本体部分１０の骨格となるアルミ合金の押出形材からなる縦基枠１３と横基枠１４のそれぞれに、金属板或いは合成樹脂板からなる外板１５・・がボルト１６により密閉状に装着されている。
また、縦基枠１３には、上下三段に亘って光源１・・が水平状態で取り付けられている。また、上記上下の外板１５，１５間には、図１，２に示すように外板支持枠１７，１７が設けられている。
【００１０】
上記外板１５・・のうち、上部の外板１５の前部には、図２に示すように、上受け金具１４ａを介して前端が上方に突出する掛止部１１・・が後述の表示部Ａ・・の位置に対応させて形成されている。また、下部の外板１５には、下受け金具１４ｂを介してボールキャッチ１２・・が後述の表示部Ａ・・の位置に対応させて設けられている。ボールキャッチ１２・・は、その他の保持手段を採用してもよい。更に、下受け金具１４ｂにおける前面部で表示部Ａの下枠２１の当接部分には、緩衝材を兼用するタイト材１８を付設している。また、上受け金具１４ａと下受け金具１４ｂとの両前端部は金具連結杆１４ｃ，１４ｃで連結されている。
【００１１】
表示部Ａは、本体部分１０の前面に蓋をするような形で着脱自在に取り付けられる。表示部Ａは、その骨格となるアルミ合金製で押出し形材からそれぞれ形成される上・下・左・右枠２０，２１，２２，２３と、該上・下・左・右枠２０〜２３に個別に装着されるアルミ合金製で押出し形材から形成される開閉枠３０，３１，３２，３３とバネ４０とから構成する。
各上・下・左・右枠２０，２１，２２，２３は、それらの基本的な断面構造は同形状である。但し、その外面形状のデザインや補強用のリブの形状等は微妙に相違している。
【００１２】
先ず、上枠２０の形状について説明する。
上枠２０は、図１に示すように、鉛直断面において、外向き解放の概略コ型に形成され、その上辺上部には、断面略円形の軸部２０ａが上方に突出状態で形成され、且つ、バネ支持部２０ｂを断面ｃ型に形成する。また、上枠２０の内周部分にポスターを裏面から保持する保持板２４の板支持部２０ｃを設ける。そして、更に上枠２０の本体部分１０側には、掛止部１１の形状に対応させて断面逆Ｌ型の掛合部２０ｄを一体に設ける。また、上枠２０の内側には適宜補強用のリブが形成されている。
【００１３】
次に、下枠２１の構成であるが、下枠２１の基本形状も、前記上枠２０と同じであり、上下が逆転した形状となっている。したがって、軸部２１ａ、バネ支持部２１ｂ、板支持部２０ｃの形状・構成については、改めて説明をしない。
【００１４】
次に、左枠２２及び右枠２３の構成であるが、両左右枠２２，２３の基本形状は前記上枠２０或いは下枠２１と同じである。したがって、左枠２２の軸部２２ａ、バネ支持部２２ｂ、板支持部２２ｃ及び係合部２２ｄの形状・構成、及び、右枠２３の軸部２３ａ、バネ支持部２３ｂ、及び板支持部２３ｃの形状・構成については、改めて説明をしない。
【００１５】
バネ支持部２０ｂ，２１ｂ，２２ｂ，２３ｂとそれぞれ相対するバネ受部３０ｂ，３１ｂ，３２ｂ，３３ｂとの間には反発する方向に金属弾性板を素材とするバネ４０が配置される。このバネ４０は、上部の開閉枠３０に取り付けられた例で説明すると、図１に示す状態において、上部の開閉枠３０を反時計回り（ポスター２を押圧する方向）に付勢し、図９に示す状態においては、時計回り（ポスター２から離れる方向）に付勢するように作用する。そして、これらの作用状態は、下部の開閉枠３１においても、図９に示すように同じであり、時計回り（ポスター２を押圧する方向）と反時計回り（ポスター２から離れる方向）に付勢するように作用する。
左右枠上に設けた開閉枠３２，３３の構成については、基本的に上下の開閉枠３０，３１と同じであるから、説明を省略する。
【００１６】
以上の構成からなる各表示部Ａ・・は、それぞれ並列させて本体部分１０の前面に装着される。通常は、本体部分１０に対して各表示部Ａ・・は一体であり、ポスター２の交換時のみ、図９に示すように、各開閉枠３０，３１，３２，３３を回転させて行う。各表示部Ａ・・が、図８に示すように、開閉枠３２，３３が接近していて回転させることができない箇所では、図１０に示すように、表示部Ａ・・を本体部分１０から取り外した上て、図９に示すように、各開閉枠３０〜３３を回転させてポスターの取り替えを行う。
【００１７】
本実施例は、上記のように構成しているので、図９，１０に示すような開閉枠３０〜３３の開閉という極めて簡単な操作で容易にポスター２の取り替えが可能となる。また、表示部Ａそのものを外して、床面でポスター２の交換作業ができるので、極めて能率良く作業ができる。
更に、複数のポスター枠（表示部Ａ）を使用して必要個所のみポスターの交換が可能である。更に、ポスターを保持させた表示部Ａ・・を別途前もって用意しておけば、交換を迅速に行うことが可能である。また、照明用の光源の交換も簡単である。
【００１８】
本実施例は、１つの本体部分１０に対して、図３に示すように、８つの表示部Ａ・・を設けて、１つの表示装置としたが、表示部Ａ・・の数は適宜選択できるものとする。また、図２に示すように、表示部Ａ・・の正面に対する角度は、鉛直面に対して１５度程度としたが、この角度は適宜選択できるのものであり、本体部分１０側の縦基枠１３や横基枠１４の上下・前後の長さも適宜選択できるものとする。
なお、上記特許請求の範囲の項には、実施例との対応関係を明瞭にするために図面符号を付けたが、本発明はこれに限定されるものではない。
【００１９】
【発明の効果】
本発明は、上記構成により下記の効果を奏する。
１．請求項１記載の発明によれば、開閉枠の開閉という極めて簡単な操作で容易に表示板の取り替えが可能となる。
更に、複数のポスター枠（表示部）を使用しても必要個所のみポスターの交換が可能である。更に、ポスターを保持させた表示部・・を別途前もって用意しておけば、交換を迅速に行うことが可能である。また、照明用の光源の交換も簡単である。上記一連の作業が極めて簡単に行うことができる。また、本体部分に対して複数の表示部を隣接させて装着することで、単一の本体部分に対して各表示部をそれぞれ個別に取り扱うこと、即ち、表示板の取付・取り外し等を個別にすることができる。
【００２０】
２．請求項２記載の発明によれば、上記効果に加えて、表示板を表示部に保持させる場合に、表示部を、本体部分から取り外した状態、即ち、表示部を床面や地面に下ろした状態で表示板の取り替えが可能であり、極めて能率良く作業ができる。更に、複数の表示部を使用して必要個所のみポスターの交換が可能である。更に、ポスターを保持させた表示部・・を別途前もって用意しておけば、交換を迅速に行うことが可能である。また、照明用の光源の交換も簡単である。
【図面の簡単な説明】
【図１】本発明に係る実施例の要部縦断面図。
【図２】同実施例の概略縦断面図。
【図３】同実施例の概略正面図。
【図４】同実施例の概略平面図。
【図５】同実施例の概略底面図。
【図６】図３のＰ−Ｐ線断面図。
【図７】同実施例の側部の水平断面図。
【図８】同実施例の中央部の水平断面図。
【図９】同実施例の作用説明図。
【図１０】同実施例の作用説明図。
【符号の説明】
Ａ・・・表示部
１・・・光源
２・・・ポスター（表示板）
１０・・・本体部分
１１・・掛止部
１２・・ボールキャッチ
１３・・縦基枠
１３ａ・・エンドカバー
１４・・横基枠
１４ａ・・上受け金具
１４ｂ・・下受け金具
１４ｃ・・金具連結杆
１５・・外板
１６・・ボルト
１７・・外板支持枠
１８・・タイト材
２０，２１，２２，２３・・上・下・左・右枠
２０ａ，２１ａ，２２ａ，２３ａ・・軸部
２０ｂ，２１ｂ，２２ｂ，２３ｂ・・バネ支持部
２０ｃ，２１ｃ，２２ｃ，２３ｃ・・板支持部
２０ｄ・・掛合部
２１ｄ・・ボール
２４・・保持板
３０，３１，３２，３３・・開閉枠
３０ａ，３１ａ，３２ａ，３３ａ・・回転係合部
３０ｂ，３１ｂ，３２ｂ，３３ｂ・・バネ受部
３０ｃ，３１ｃ，３２ｃ，３３ｃ・・当接部
４０・・バネ
【図１】
0004093680.tif 000002
【図２】
0004093680.tif 000003
【図３】
0004093680.tif 000004
【図４】
0004093680.tif 000005
【図５】
0004093680.tif 000006
【図６】
0004093680.tif 000007
【図７】
0004093680.tif 000008
【図８】
0004093680.tif 000009
【図９】
0004093680.tif 000010
【図１０】
0004093680.tif 000011